(57)【要約】【課題】  縮めた状態が確実に保持される伸縮門扉を提供する。【解決手段】  左右に伸縮自在なリンクを備え、リンクは、複数のリンク材をパンタグラフ状に連結してあって、伸縮によりリンク材同士の連結部が上下動するものであり、左右に隣接する連結部の一方にキャッチ部材を設けてあり、他方にキャッチ部材と係脱自在な受部材を設けてある。【選択図】      図１
2020073764.tif 000002
【特許請求の範囲】
【請求項１】
左右に伸縮自在なリンクを備え、リンクは、複数のリンク材をパンタグラフ状に連結してあって、伸縮によりリンク材同士の連結部が上下動するものであり、左右に隣接する連結部の一方にキャッチ部材を設けてあり、他方にキャッチ部材と係脱自在な受部材を設けてあることを特徴とする伸縮門扉。
【発明の詳細な説明】
【技術分野】
【０００１】
本発明は、伸縮自在なリンクにより構成される伸縮門扉に関する。
【背景技術】
【０００２】
従来、特許文献１に示すような、左右方向に伸縮自在なリンクにより構成される伸縮門扉がある。
【先行技術文献】
【特許文献】
【０００３】
【特許文献１】特開２００６−１４４２４３号公報
【発明の概要】
【発明が解決しようとする課題】
【０００４】
しかしながら、このような従来の門扉においては、リンクを縮めた状態（門扉を開いた状態）から、風や自重によって意図せず広がってしまう場合があった。
【０００５】
本発明は、上記事情を鑑みたものであり、縮めた状態が確実に保持される伸縮門扉を提供することを目的とする。
【課題を解決するための手段】
【０００６】
本発明は、左右に伸縮自在なリンクを備え、リンクは、複数のリンク材をパンタグラフ状に連結してあって、伸縮によりリンク材同士の連結部が上下動するものであり、左右に隣接する連結部の一方にキャッチ部材を設けてあり、他方にキャッチ部材と係脱自在な受部材を設けてあることを特徴とする。
【発明の効果】
【０００７】
本発明によれば、リンクを縮めると、キャッチ部材と受部材が係合して、隣接するリンク材同士が固定されるので、リンクが伸びることを防ぎ、縮めた状態が確実に保持される。そして、キャッチ部材は、リンクの連結部であればどこにでも取り付けることが可能であり、また、複数取り付けることで、よりリンクの伸びを防ぐ効果を高めることができる。
【図面の簡単な説明】
【０００８】
【図１】伸縮門扉のキャッチ部材及び受部材の取付部分の拡大図である。
【図２】キャッチ部材の三面図であり、（ａ）は平面図、（ｂ）は正面図、（ｃ）は側面図である。
【図３】伸縮門扉の全体図であり、（ａ）は平面図、（ｂ）は正面図である。
【図４】キャッチ部材と受部材の係合の説明図であり、（ａ）は全閉状態、（ｂ）は半開状態、（ｃ）は全開状態を示す。
【図５】キャッチ部材と受部材の係合の詳細図であり、（ａ）は受部材がガイド部に接触したとき、（ｂ）は受部材が係合部に接触したとき、（ｃ）は受部材が係脱部に呑み込まれたときを示す。
【発明を実施するための形態】
【０００９】
以下、本発明の実施の形態を図面に基づいて説明する。なお、以下において、左右とは、図３（ｂ）のように、伸縮門扉を正面視した場合における左右を示し、前後とは、図３（ｂ）の手前側及び奥側を示すものとする。この伸縮門扉は、住宅の駐車スペースの前などに設置されるものであって、図３に示すように、戸当門柱１０１と、吊元門柱１０２と、門扉本体１００を備える。戸当門柱１０１と吊元門柱１０２が左右に間隔を空けて立設されており、吊元門柱１０２に、左右に伸縮自在な門扉本体１００を取り付けてあって、門扉本体１００が接地しない、いわゆるハンガータイプのものであり、門扉本体１００の戸先部には、取手１１０を設けてある。取手１１０に手を掛け、門扉本体１００を伸ばして戸先部を戸当門柱１０１に係合させることで全閉状態となり、門扉本体１００を縮めて吊元門柱１０２側に寄せることで全開状態となる。
【００１０】
門扉本体１００は、複数の格子４と、複数のリンク材１１をパンタグラフ状に連結したリンク１を有する。格子４は、前後に配置した二本の縦枠４１と、両縦枠４１の上端同士及び下端同士を連結する横枠４２からなる。縦枠４１は断面が略コ字形の形材からなり、図１に示すように、両縦枠４１の対向する面には長手方向中心に沿って案内溝４３が形成してある。この格子４が左右方向に複数個並んでおり、縦枠４１と横枠４２に囲まれた内周部にリンク１が納まっている。リンク１を構成するそれぞれのリンク材１１は、角管材からなり、前側には右下がりに傾斜するリンク材１１（図１中の二点鎖線）が左右に並び、後側には左下がりに傾斜するリンク材１１（図１中の実線）が左右に並んでいて、正面視した際の各交差点が前後のリンク材１１の連結部となっていて、連結軸１２により前後方向軸周りに回動自在に連結してある。連結軸１２の、前後のリンク材１１の間部分には、円筒形のスリーブ１３を外挿してあり、前後のリンク材１１同士の間隔を保持している。この実施形態では、各リンク材１１の長手方向両端部及びその間を六分割する位置に連結軸１２を設けてあり、これにより、リンク１が左右に伸縮自在となっている。そして、リンク１の上下方向に並んだ連結軸１２（一本のリンク材１１について、上から奇数番目の連結軸１２）が、同じ格子４と連結している。これらの連結軸１２のうち、上から一番目、二番目、四番目の連結軸１２は、格子４に対して上下動自在に係合する可動連結軸１２ａであり、三番目の連結軸１２は、格子４に対して上下方向に固定される固定連結軸１２ｂである。より詳しくは、可動連結軸１２ａは、前後のリンク材１１から前後に突出していて、それぞれ前後の縦枠４１の案内溝４３に摺動自在に係合している。一方、固定連結軸１２ｂは、前後のリンク材１１から前後に突出していて、それぞれ前後の縦枠４１に回動自在に取り付けてある。このように構成した門扉本体１００を伸ばすと、各格子４同士の間隔が広くなり、固定連結軸１２ｂより上側の可動連結軸１２ａは、各格子４に対して下方へ摺動し、下側の可動連結軸１２ａは、各格子４に対して上方へ摺動する。逆に、門扉本体１００を縮めると、各格子４同士の間隔が狭くなり、固定連結軸１２ｂより上側の可動連結軸１２ａは、各格子４に対して上方へ摺動し、下側の可動連結軸１２ａは、各格子４に対して下方へ摺動する。
【００１１】
そして、図１及び図３に示すように、上から一番目で左右方向中央の可動連結軸１２ａに、キャッチ部材２を取り付けてある。キャッチ部材２は、図２に示すように、一枚の金属板を折り曲げて形成したものであり、略コ字形の係脱部２１と、係脱部２１の底面（上下片の間の面）の前側辺から、係脱部２１の開口側の反対側に向けて延びる取付片２２と、取付片２２の上側辺から前側に向けて延びる回り止め片２３からなる。略コ字形の係脱部２１は、回り止め片２３に対してやや上向きに向けて開口しており、その上下片は、上側の方が長く、上側の片の先端部には、外側（上側）に向けて４５度屈曲したガイド部２４を形成してある。また、下側の片の先端部には、内側（上側）に向けて略への字形に屈曲した係合部２５を形成してある。さらに、取付片２２には、前後方向に貫通する取付孔２６を形成してある。そして、図１に示すように、この取付孔２６に可動連結軸１２ａを通すとともに、回り止め片２３を前側のリンク材１１の上端面に当接させてあり、取付片２２が、前側のリンク材１１の後側面とスリーブ１３に挟まれていて、係脱部２１は前後のリンク材１１の間に位置している。ここでは、図１に示す門扉本体１００の全閉状態において、キャッチ部材２を係脱部２１が左下に向けて開口する向きに取り付けてあり、回り止め片２３がリンク材１１の上端面に当接することで、リンク材１１に対してキャッチ部材２の向きが固定されている。一方、このキャッチ部材２を取り付けた可動連結軸１２ａの左隣の可動連結軸１２ａには、他の連結軸１２よりも大径のスリーブを取り付けてあり、これがキャッチ部材２と係脱自在な受部材３となる。受部材３の直径は、キャッチ部材２の係脱部２１の、係合部２５部分の開口幅より大きく、係合部２５より奥側部分の開口幅より小さい。
【００１２】
次に、図４に基づき、門扉本体１００の開閉時におけるキャッチ部材２と受部材３の挙動について説明する。図４（ａ）に示すように、門扉本体１００を伸ばした全閉状態において、各リンク材１１は、垂直方向に対して約４５度の角度で傾斜している。そしてその内の一本のリンク材１１の上端部にキャッチ部材２を取り付けてあり、係脱部２１が左下方向に向けて開口していて、ガイド部２４が上側、係合部２５が下側に位置している。この状態から、取手１１０に手を掛け、門扉本体１００を縮めて開いていくと、格子４同士の間隔が狭くなり、キャッチ部材２を設けた可動連結軸１２ａ及び受部材３を設けた可動連結軸１２ａは、互いに接近しながら格子４の縦枠４１に沿って上方へ移動する。この際、リンク材１１は垂直方向に対する傾斜角度が小さくなるように回転する（前側のリンク材１１（二点鎖線）は時計回りに回転し、後側のリンク材１１（実線）は反時計回りに回転する）。それに伴って、前側のリンク材１１に固定されたキャッチ部材２も、リンク材１１とともに、係脱部２１の開口の向きが左下方向から左方向になって、受部材３（隣接する可動連結軸１２ａ）の方を向くように、時計回りに回転する。よって、ガイド部２４が、門扉本体１００（リンク１）を縮めるときのキャッチ部材２の回転方向の前側に位置し、係合部２５が、回転方向の後側に位置することになる。そして、図４（ｂ）に示す半開状態を経て、さらに門扉本体１００を縮めて開いていくと、時計回りに回転するキャッチ部材２が受部材３に接近し、図４（ｃ）に示す全開状態となる直前に、図５（ａ）に示すように、キャッチ部材２のガイド部２４が、受部材３に接触する。さらに開いていくと、図５（ｂ）に示すように、受部材３がガイド部２４にガイドされつつ係合部２５にも接触し、受部材３が係脱部２１を弾性変形させて開口幅を押し広げる。そして、門扉本体１００が図４（ｃ）に示す全開状態になるとともに、図５（ｃ）に示すように、受部材３が係合部２５を乗り越えて係脱部２１に呑み込まれる。これにより、キャッチ部材２と受部材３が係合して、これらを設けた隣接するリンク材１１同士が固定されるものであり、リンク１は全てのリンク材１１が連動して伸縮するものであるから、一組のリンク材１１が固定されることで、リンク１全体が縮めた状態で保持される。また、図４（ｃ）に示す全開状態から、門扉本体１００を閉める際には、最初に受部材３がキャッチ部材２を弾性変形させて係合部２５を乗り越えるだけの力を加えればよく、その後はキャッチ部材２及び受部材３の影響なく、図４（ｂ）に示す半開状態を経て、図４（ａ）に示す全閉状態とすることができる。
【００１３】
このように構成した伸縮門扉によれば、上記のとおり、門扉本体１００を開くためにリンク１を縮めると、キャッチ部材２と受部材３が係合して、隣接するリンク材１１同士が固定される。よって、風や自重などによる力が作用しても、リンク１が伸びることを防ぎ、門扉本体１００を縮めた状態が確実に保持される。また、経年使用により、門扉本体１００が広がりやすくなった場合にも、効果的である。そして、特にこの伸縮門扉は、門扉本体１００が接地していないハンガータイプのものなので、キャッチ部材２がないと、戸先側が自重によって垂れ下がり、門扉本体１００（リンク１）の上側が広がってしまうが、キャッチ部材２及び受部材３がリンク１の上端部に取り付けてあるので、リンク１の上側が広がることを確実に防ぐことができる。また、受部材３が、連結軸１２に取り付けたスリーブからなるので、別途の部材を取り付ける必要がなく、構造が簡素で費用が抑えられ、意匠性も良好である。さらに、パンタグラフ状に連結したリンク材１１は、伸縮時に必ず回転動作するので、リンク１を縮める際には、リンク材１１に取り付けたキャッチ部材２もリンク材１１とともに回転して、受部材３の方を向くようにしてある。また、キャッチ部材２の係脱部２１が略コ字形で、リンク１を縮めるときの回転方向の前側の片の方が長く、こちらがガイド部２４となっており、後側の片が係合部２５となっていることにより、キャッチ部材２が受部材３に近づくと、まず長いガイド部２４が受部材３に当接し、受部材３はガイド部２４にガイドされて係合部２５にも当接するので、スムーズに係合する。さらに、リンク１を伸ばした全閉状態において、キャッチ部材２を、前後の一方のリンク材１１に、斜め下方を向くように取り付けてあるので、キャッチ部材２が前後の他方のリンク材１１と重なって目立たず、意匠性が良好である。さらに、キャッチ部材２は、取付孔２６に可動連結軸１２ａを通して取り付けてあり、また回り止め片２３がリンク材１１に当接することで固定されているので、ネジ止めなどをする必要がなく、施工が容易である。さらに、キャッチ部材２は、リンク１の連結部であれば、門扉本体１００の中央部、戸先部、吊元部など、どこにでも取り付けることが可能であり、また、複数取り付けることで、よりリンク１の伸びを防ぐ効果を高めることができる。
【００１４】
本発明は、上記の実施形態に限定されない。たとえば、本発明が適用される伸縮門扉は、ハンガータイプではなく、門扉本体がキャスターを有するものであってもよい。その場合でも、風を受けたり、傾斜地で傾斜方向に自重が作用したりして、縮めた門扉本体が広がる場合があるので、効果的である。また、キャッチ部材の形状と連結軸の太さが対応するものであれば、連結軸自体を受部材としてもよい。その場合、受部材として何らの別部材も必要ないので、より簡素な構造となる。さらに、キャッチ部材は、格子に係合しない連結軸に設けてもよいし、連結軸ではなく、連結軸近傍の連結部に取り付けてもよい。たとえば、キャッチ部材をリンク材に直接ネジ止めなどで取り付けてもよく、その場合、隣接するリンク材に受部材を取り付けてもよいし、リンク材自体を受部材としてもよい。
【符号の説明】
【００１５】
１  リンク
２  キャッチ部材
３  受部材
１１  リンク材
１２ａ  可動連結軸（連結部）
【図１】
2020073764.tif 000003
【図２】
2020073764.tif 000004
【図３】
2020073764.tif 000005
【図４】
2020073764.tif 000006
【図５】
2020073764.tif 000007
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
左右に伸縮自在なリンクを備え、リンクは、複数のリンク材をパンタグラフ状に連結してあって、伸縮によりリンク材同士の連結部が上下動するものであり、左右に隣接する連結部の一方にキャッチ部材を設けてあり、他方にキャッチ部材と係脱自在な受部材を設けてあり、キャッチ部材は、左右に隣接する連結部が接近するに伴って、受部材の方を向くように回転して受部材に係合することを特徴とする伸縮門扉。
【手続補正２】
【補正対象書類名】明細書
【補正対象項目名】０００６
【補正方法】変更
【補正の内容】
【０００６】
本発明は、左右に伸縮自在なリンクを備え、リンクは、複数のリンク材をパンタグラフ状に連結してあって、伸縮によりリンク材同士の連結部が上下動するものであり、左右に隣接する連結部の一方にキャッチ部材を設けてあり、他方にキャッチ部材と係脱自在な受部材を設けてあり、キャッチ部材は、左右に隣接する連結部が接近するに伴って、受部材の方を向くように回転して受部材に係合することを特徴とする。